(57)【要約】【課題】  冊子にダメージを与えることなく、折り曲げ部を見栄えよく変形（角付け）処理できるとともに、良好な積載性を確保することができるシート処理装置を提供する。【解決手段】  対向する保持部材対により保持された冊子の折り頂部を、保持部材対間に圧接部材を進入させて圧接して変形処理することで、必要以上の圧接力が加えられることはなく、冊子の厚さと略等しい幅の平滑面が形成され、見栄えのよい冊子が作成できる。【選択図】  図６
2010241597.tif 000002
【特許請求の範囲】
【請求項１】
折り畳まれたシートからなる冊子を対向する保持部材対で挟圧して保持する保持手段と、
前記保持手段に保持された冊子の折り頂部を圧接する圧接部材とを備え、
前記圧接部材は、前記保持部材対間に進入して冊子の折り頂部を圧接し、変形処理するとともに、前記保持部材対は、前記圧接部材により圧接された冊子の折り頂部が前記保持部材対で挟圧して保持された冊子の厚さを超えて変形せぬよう冊子の折り頂部を押さえる押さえ面を有することを特徴とするシート処理装置。
【請求項２】
前記保持部材対の押さえ面は、互いに平行な面であることを特徴とする請求項１記載のシート処理装置。
【請求項３】
前記圧接部材は、前記保持手段に保持された冊子の折り頂部に沿って移動するローラであることを特徴とする請求項１又は２記載のシート処理装置。
【請求項４】
冊子の折り頂部を当接させて冊子の位置決めをする位置決め部材を有し、前記保持手段は、前記位置決め部材により位置決めされた冊子を保持し、前記圧接部材はこの冊子の折り頂部を変形処理することを特徴とする請求項１乃至３のいずれか１項に記載のシート処理装置。
【請求項５】
シートを折り畳む折り手段を備え、前記折り手段により折り畳まれたシートからなる冊子の折り頂部に対して変形処理することを特徴とする請求項１乃至４のいずれか１項に記載のシート処理装置。
【請求項６】
シートに画像形成を行う画像形成部と、画像形成されたシートを処理する請求項１乃至５のいずれか１項に記載の画像形成装置。
【発明の詳細な説明】
【技術分野】
【０００１】
本発明は、シート束に処理を施すシート処理装置に関し、特にシートを所定枚数重ねて折り畳まれた冊子の折り頂部を変形処理することにより、積載性を向上させ、冊子の見栄えを良くするシート処理装置に関する。
【背景技術】
【０００２】
通常、２０枚以上のシートを重ねたシート束を折り畳むと、折り曲げ部が湾曲した仕上がりの冊子となる場合が多い。このような冊子の折りは不十分であり、折り畳んでも折り曲げ部と反対側の開放端部が開き易く、見栄えの良くない外観を呈する。
【０００３】
こうした課題に対応すべく、上記のような冊子に対し、変形処理の一つとして冊子の折り曲げ部の頂部（折り頂部、背）を四角く角付け処理する方法及び装置が提供されている（特許文献１参照）。冊子の折り頂部にこのような変形処理を施すことで冊子の折りを強化し、開放端部が開きにくく、見栄えの良い冊子を提供することができる。
【０００４】
このような従来のシート処理装置の構成について、図１７乃至図１９を用いて説明する。
【０００５】
図１７（ａ）は、冊子の折り頂部に圧接して変形処理を施す圧接ローラ７０４の走行方向を示す模式図であり、圧接ローラ７０４は、把持手段７０２、７０３によって冊子を挟み込むまで、冊子とは接触しない領域に退避している。そして、把持手段７０２、７０３が冊子を挟んで固定すると、冊子の折り頂部に沿って一端から他端へ折り部に圧をかけながら移動する。
【０００６】
まず図１７（ｂ）に示すように、冊子７０１の折り頂部を先頭にして搬送手段７０６、７０７で冊子７０１を搬送し、位置決め手段７０５に冊子７０１の折り頂部を突き当て、位置決めする。その後、図１７（ｃ）に示すように、把持手段７０２、７０３から折り頂部が突出するよう冊子を挟みこんでから位置決め手段７０５を退避させ、把持手段７０２、７０３から突出している冊子の折り頂部に圧接ローラ７０４によって圧力をかけながら走行させる。冊子７０１の折り頂部を把持手段７０２、７０３から突出させて把持するのは、圧接ローラ７０４によって突出した折り頂部を圧接することにより折り頂部を変形させるためである。把持手段７０２、７０３からの突出量が小さすぎると折り頂部の剛度が増大して変形しにくく、突出量が大きすぎると折り頂部が逃げてしまって変形しにくいため、適正な突出量が設定される。
【０００７】
角付け処理とは、このようにして湾曲していた折り曲げ部の折り頂部を四角く変形処理するものである。図１７（ｄ）は、角付け（変形）処理を終えた冊子が排紙トレイ７０８に排出される様子を示している。図１８（ａ）は、圧接されて角付けされる際の冊子の折り頂部を模式的に表したものである。
【先行技術文献】
【特許文献】
【０００８】
【特許文献１】特開２００１−２６０５６４号公報
【発明の概要】
【発明が解決しようとする課題】
【０００９】
しかしながら、把持手段７０２、７０３から突出した冊子の折り頂部を圧接するため、角付けされた折り頂部の角７０９ａ、７０９ｂが図１８（ｂ）のように厚さ方向の外側へ出っ張ってしまい、見栄えが低下することがあった。また、圧接ローラ７０４によって折り頂部を圧接した際、冊子を把持したときの把持手段７０２、７０３の角部７０２ａ、７０３ａに対して厚さ方向の外側に変形した折り頂部が強く当たり、圧接痕がつくという問題があった。
【００１０】
図１９は、上述したように把持手段７０２、７０３から突出させて処理された冊子の折り曲げ部を示している。把持手段７０２，７０３から突出した折り頂部は、圧接ローラ７０４の圧接面に沿って冊子の厚さの外側へ変形し、角付けされた折り頂部の背の幅は、本来の冊子の厚さより大きくなり、冊子の積載性を低下させる。
【００１１】
また、把持手段７０２、７０３から突出している冊子の折り頂部がすべて変形の対象となるため、角付けする必要のない冊子中心に位置するシートの折り頂部７０９ｃが把持手段７０２、７０３から突出していれば、変形させてしまうことになる。
【００１２】
そこで、本発明は、冊子に圧接痕といったダメージを与えることなく、折り頂部を見栄えよく変形（角付け）処理することを目的とするものである。
【課題を解決するための手段】
【００１３】
本発明は、折り畳まれたシートからなる冊子を対向する保持部材対で挟圧して保持する保持手段と、前記保持手段に保持された冊子の折り頂部を圧接する圧接部材とを備え、前記圧接部材は、前記保持部材対間に進入して冊子の折り頂部を圧接し、変形処理するとともに、前記保持部材対は、前記圧接部材により圧接された冊子の折り頂部が前記保持部材対で挟圧して保持された冊子の厚さを超えて変形せぬよう冊子の折り頂部を押さえる押さえ面を有することを特徴とするものである。
【発明の効果】
【００１４】
本発明によれば、冊子を保持する保持部材対間に圧接部材が進入して折り頂部を圧接するので、冊子にダメージを与えることなく、見栄えよく変形処理することができるとともに、折り頂部の厚さ方向の変形が抑えられるため、良好な積載性を確保することができる。
【図面の簡単な説明】
【００１５】
【図１】本発明の実施の形態に係る画像形成装置の一例である複写装置の断面図。
【図２】上記複写装置に接続されたシート処理装置の構成を説明する図。
【図３】上記シート処理装置の構成を説明する図。
【図４】図３のＸ−Ｘの矢視図。
【図５】上記シート処理装置を搬送方向上流側から見た図。
【図６】冊子の厚さと冊子の厚さに応じて選択される本発明に係る圧接部材との関係を示す図。
【図７】上記シート処理装置における角付け処理の動作を説明する図。
【図８】上記シート処理装置における角付け処理の動作を説明する図。
【図９】上記シート処理装置による角付け処理後の冊子を示す図。
【図１０】上記複写装置の制御ブロック図。
【図１１】上記シート処理装置の制御ブロック図。
【図１２】上記シート処理装置による角付け処理の動作説明用のフローチャート図。
【図１３】上記シート処理装置による角付け処理の動作説明用のフローチャート図。
【図１４】上記シート処理装置による角付け処理の動作説明用のフローチャート図。
【図１５】上記シート処理装置による角付け処理の動作を説明する図。
【図１６】上記シート処理装置による角付け処理の動作を説明する図。
【図１７】従来のシート処理装置による角付け処理を施す際の模式図。
【図１８】従来のシート処理装置による角付け処理の問題点を示す図。
【図１９】従来のシート処理装置による角付け処理を施された冊子を示す図。
【発明を実施するための形態】
【００１６】
以下、本発明を実施するための形態について図面を用いて詳細に説明する。
【００１７】
図１は、本発明に係るシート処理装置が接続可能な画像形成装置としての複写装置１０００の断面図、図２は、本発明に係るシート処理装置の要部の概略構成を示す図である。複写装置１０００は、原稿給送部１００、イメージリーダ部２００及びプリンタ部３００等を備え、さらに、フィニッシャ５００、中綴じ製本部８００、角付け処理装置６００等を、オプションとして装備することができる。
【００１８】
原稿給送部１００によって原稿が読取位置へ搬送され、イメージリーダ部２００により読取位置で読み取られた原稿の画像データは、所定の画像処理が施されて露光制御部１１０へ送られる。露光制御部１１０は、画像信号に応じたレーザ光を出力する。出力されたレーザ光は、ポリゴンミラー１１０ａにより走査されながら感光体ドラム１１１上に照射される。感光体ドラム１１１上には走査されたレーザ光に応じた静電潜像が形成される。
【００１９】
感光体ドラム１１１上に形成された静電潜像は、感光体ドラム１１１と、後述する転写部１１６ともに画像形成部１００３を構成する現像器１１３により現像され、トナー像として可視化される。一方、記録シート（以下、単にシートという）は、給紙部１００２を構成するカセット１１４、１１５、手差し給紙部１２５、両面搬送パス１２４の何れかから転写部１１６へ搬送される。そして、可視化されたトナー像が転写部１１６においてシートに転写される。転写後のシートは、定着部１１７にて定着処理が施される。
【００２０】
そして、定着部１１７を通過したシートを、切替手段１２１により一旦パス１２２に導き、シートの後端が切替手段１２１を抜けた後に、スイッチバックさせ、切替手段１２１により排出ローラ１１８へ搬送する。そして、排出ローラ１１８によりシートをプリンタ部３００から排出する。これによりトナー像が形成された面を下向きの状態（フェイスダウン）でプリンタ部３００から排出できる。これを反転排紙と称する。
【００２１】
上述したように、フェイスダウンでシートを排出することにより、例えば、原稿給送部１００を使用して画像形成処理を行う場合や、コンピュータからの画像データに対する画像形成処理を行う場合に、排出シートの頁順序を揃えることができる。
【００２２】
また、シートの両面に画像形成処理を行う場合は、シートを定着部１１７からまっすぐ排出ローラ１１８方向へと導き、シートの後端が切替手段１２１を抜けた直後にシートをスイッチバックし、切替手段１２１の切り替えにより両面搬送パスへと導く。
【００２３】
次に、フィニッシャ５００の構成について、図１、図２を参照しながら説明する。
【００２４】
フィニッシャ５００は、排出ローラ１１８によりプリンタ部３００から搬送されたシートを取り込み、１つのシート束として整合して束ねる処理、シート束をステイプルするステイプル処理、ソート処理、ノンソート処理等のシート処理を行うためのものである。
【００２５】
図２に示すように、フィニッシャ５００は、プリンタ部３００から搬送されたシートを装置内部に取り込むための搬送パス５２０を備え、中綴じ製本部８００へシートを供給する下排紙パス５２２へシートを搬送する。搬送パス５２０には、必要に応じて搬送されるシートの後端部に穴あけ（穿孔）処理を行うパンチユニット５３０と、複数の搬送ローラ対が設けられている。
【００２６】
次に、中綴じ製本部８００の構成を説明する。
【００２７】
下排紙パス５２２の途中に設けられた切替手段５１４により搬送方向を中綴じ製本部８００側に切り替えられたシートは、サドル排紙パス５２３を通過して中綴じ製本部８００へ送られる。搬送されたシートは、サドル入口ローラ対８０１に受け渡され、シートサイズに応じてソレノイドにより動作する切替手段８０２により搬入口を選択されて、中綴じ製本部８００の収納ガイド８０３内に搬入される。搬入されたシートは、滑りローラ８０４により先端が可動式のシート位置決め部材８０５に接するまで搬送される。サドル入口ローラ対８０１と滑りローラ８０４は駆動モータＭ１により駆動される。
【００２８】
また、収納ガイド８０３の途中位置には、収納ガイド８０３を挟んで対向配置されたステイプラ８２０が設けられている。ステイプラ８２０は、針を突き出すドライバ８２０ａと、突き出された針を折り曲げるアンビル８２０ｂとに分割されている。
【００２９】
なお、上述したシート位置決め部材８０５は、シート搬入時において、シート搬送方向中央部が、このステイプラ８２０の綴じ位置に一致する位置で停止する。シート位置決め部材８０５は、駆動モータＭ２の駆動を受けて移動自在であり、シートサイズに応じて位置を変える。
【００３０】
ステイプラ８２０の下流側には、折りローラ対８１０ａ，８１０ｂが設けられており、折りローラ対８１０ａ，８１０ｂの対向位置には、折りローラ対８１０ａ，８１０ｂとともに折り手段を構成する突き出し部材８３０が設けられている。この突き出し部材８３０は、収納ガイド８０３から退避した位置をホームポジションとしていて、駆動モータＭ３の駆動により収納されたシート束を突き出し、折りローラ対８１０ａ，８１０ｂのニップに押し込みながら折り畳むものである。
【００３１】
突き出し部材８３０はその後、再びホームポジションに戻る。なお、折りローラ対８１０ａ，８１０ｂ間には、不図示のバネによりシート束に折り目付けをするのに充分な圧Ｆ１が掛けられている。折り目付けされたシート束（折りシート束）は、第１折り搬送ローラ対８１１ａ、８１１ｂ、第２折り搬送ローラ対８１２ａ、８１２ｂを介して、コンベアトレイ６７０に排出される。
【００３２】
第１折り搬送ローラ対８１１、及び第２折り搬送ローラ対８１２にも、折りシート束を搬送、保持するのに充分な圧Ｆ２、Ｆ３が掛けられている。折りローラ対８１０、第１折り搬送ローラ対８１１、第２折り搬送ローラ対８１２は、同一の駆動モータＭ４（不図示）により等速回転する。
【００３３】
また、ステイプラ８２０で綴じられたシート束を折り畳む場合は、ステイプル処理終了後に、シート束のステイプル位置が折りローラ対８１０のニップ位置に一致するように、位置決め部材８０５を、ステイプル処理時の場所から所定距離降下させる。これにより、ステイプル処理を施した位置を中心にしてシート束を折り畳むことができる。
【００３４】
また、整合板対８１５は、折りローラ対８１０ａ，８１０ｂの外周面の外に周り込みながら収納ガイド８０３に突き出した面を持ち、収納ガイド８０３に収納されたシートを整合する整合板対である。整合板対８１５は、駆動モータＭ５の駆動を受けて、シートに対し、挟み込み方向に移動することによって、シートの幅方向の位置決めを行う。
【００３５】
上述した構成の中綴じ製本部８００により、折りシート束（以下、冊子という）が形成される。
【００３６】
次に、冊子の湾曲した折り曲げ部の頂部（以下、折り頂部）を四角く変形させ、角付け（変形）処理を行う角付け処理装置６００について説明する。角付け処理装置６００は、中綴じ製本部８００の下流（図の左側）に位置する。
【００３７】
図３は、図２の角付け処理装置６００の拡大図である。図中６１０は、受け取り部であり、中綴じ製本部８００から冊子を受け取り、搬送するための、冊子を支持する下側のみ搬送方向に伸びる下搬送ベルト６１１を備える。冊子受け渡し時、下搬送ベルト６１１は搬送方向に回転をしているので、第２折り搬送ローラ対８１２から冊子が落下しても、冊子が回転することなく、搬送されてきた姿勢のまま受け取ることができる。
【００３８】
下搬送ベルト６１１を挟んで、その外側にはサイドガイド対６１２が配設され、これらが冊子の搬送方向と直交する幅方向に動作することで、冊子の幅方向位置を修正することができる。また、サイドガイド対６１２の上側は、冊子の開きを防止する押さえガイド６１４が形成されており、これは搬送方向下流へスムーズに冊子を受け渡すためのガイドとして機能する。
【００３９】
さらに、下搬送ベルト６１１を挟んだ両側には、下搬送ベルト６１１と平行に移動する搬送爪６１３が配設されている。搬送爪６１３は、搬送方向において下搬送ベルト６１１と略同じ速度で正逆移動をする。下搬送ベルト６１１と冊子との間にすべりが生じた場合は、この搬送爪６１３が冊子後端と接触し、確実に冊子後端を下流側へと押し込む。なお、下搬送ベルト６１１、サイドガイド対６１２、搬送爪６１３は、それぞれ駆動モータＳＭ１、ＳＭ２、ＳＭ３の駆動を受けて動作する。
【００４０】
６２０は入口搬送部であり、受け取り部６１０から冊子を受け取り、搬送方向下流へ搬送するための下搬送ベルト６２１、上搬送ベルト６２２で構成される。上搬送ベルト６２２は支持軸６２３を中心に冊子の厚さに応じて回動できるようになっており、下搬送ベルト６２１へ不図示のバネにより押圧されている。上下搬送ベルト６２１、６２２は駆動モータＳＭ４によって駆動する。
【００４１】
６１５は入口検知センサで、中綴じ製本部８００から冊子を受け取り、下搬送ベルト６１１上に冊子があることを検知する。６１６は出口検知センサで、冊子を検知することによりサイドガイド対６１２、搬送爪６１３を動作させるための入力信号となる。
【００４２】
６２５は変形処理部であり、冊子の折り曲げ部を上下から挟んで保持する押さえユニット６３０、冊子の折り頂部を位置決めし、かつ折り頂部を圧接する角付けユニット６４０とで構成されている。
【００４３】
保持手段としての押さえユニット６３０は、上下動を行う上部ユニットと、上部ユニットと対向してフレームに固定される下押さえ板６３１に分けられる。上部ユニットは、駆動モータＳＭ５の駆動を受け、リンク６３６、６３７、６３８を介して上下動する強固な押さえベース６３２と、スライド連結部材６３４で連結された上押さえ板６３３を備え、スライド連結部材６３４の外周には圧縮バネ６３５が配置されている。
【００４４】
保持部材対としての上下の押さえ板６３１、６３３は互いに平行な、対向する保持面を有しており、押さえベース６３２が上方位置にあるとき、対向する保持面の間に冊子が搬送される。また、押さえベース６３２が下方位置にあるときには、冊子の厚さに応じて伸縮する圧縮バネ６３５によって、冊子は上下押さえ板６３１、６３３の保持面でしっかりと挟圧、保持される。上下押さえ板６３１、６３３の冊子との保持面は突起のない平滑面であるので、冊子を挟圧、保持したときに冊子に圧接痕をつけるようなことがない。６３９は上死点検知センサであり、押さえベース６３２が上位置にあることを検知する。６８１は厚さ検知手段としての厚さ検知センサであり、冊子を保持したときの上押さえ板６３１の位置を検知することで冊子の厚さを検知する。
【００４５】
次に、図３と併せて、図４、図５を用いて角付けユニット６４０を説明する。図４は、図３の図中Ｘ−Ｘの矢視図であり、図５は、図３の角付けユニット６４０を搬送方向上流側から見た図である。
【００４６】
角付けユニット６４０は、不図示の枠体に支持されたスライド軸６４２、６４３に沿って図４、図５の図中Ａ方向に移動可能に支持された移動ユニット６５６ａを備えている。移動ユニット６５６ａは、連結部材６５３ａによってタイミングベルト６５２ａに取り付けられ、プーリ６５４ａ、６５５ａを介して角付け処理駆動モータＳＭ６によって駆動される。
【００４７】
また、移動ユニット６５６ａは、移動ベース６４１ａを有し、移動ベース６４１ａに固定されたスライド軸６４６、６４７に切替ユニット６５７をスライド可能に支持している。切替ユニット６５７はスライドネジ６４５、駆動モータＳＭ８によりスライド軸６４６、６４７に沿って図５の図中Ｂ方向に移動することができる。切替ユニット６５７には、支持軸６４８ａが切替ベース６４４に回転自在に取り付けられており、支持軸６４８ａには、位置決め部材としてのストッパ片６４９ａ、第１圧接部材としての第１圧接片６５０、第２圧接部材としての第２圧接片６５１が固定されている。
【００４８】
ストッパ片６４９ａは、後述するストッパ片６４９ｂと協同し、搬送されてくる冊子の折り頂部が突き当たることで角付け（変形）処理する位置に位置決めする部材である。
【００４９】
第１圧接片６５０、第２圧接片６５１は、冊子の湾曲した折り頂部に圧接して四角く変形させ、角付け処理する圧接部材であり、各々、折り頂部に圧接する際の冊子の厚さ方向の圧接幅が異なる。厚さ検知センサ６８１により検知された検知結果（冊子の厚さ）に応じて切替ユニット６５７を図５の図中Ｂ方向に移動することで第１圧接片６５０、第２圧接片６５１とを選択的に切り替える。
【００５０】
切り替え手段としての切替ユニット６５７には検知手段としての基準位置検知センサ６５９が設けられ、基準位置検知センサ６５９の検知により切替ユニット６５７が図中Ｂ方向に移動するときの基準位置が決定される。
【００５１】
また、角付けユニット６４０は、不図示の枠体に支持されたスライド軸６４２、６４３に沿って図４、図５の図中Ａ方向に移動可能に支持された移動ユニット６５６ｂを備えている。移動ユニット６５６ｂは、連結部材６５３ｂによってタイミングベルト６５２ｂに取り付けられ、プーリ６５４ｂ、６５５ｂを介して角付け処理駆動モータＳＭ７によって駆動される。
【００５２】
移動ユニット６５６ｂは、移動ベース６４１ｂを有し、移動ベース６４１ｂには、支持軸６４８ｂが回転自在に取り付けられており、支持軸６４８ｂには位置決め部材としてのストッパ片６４９ｂが固定されている。ストッパ片６４９ｂはストッパ片６４９ａと協同し、搬送されてくる冊子の折り頂部が突き当たることで角付け処理する位置に位置決めする位置決め部材である。ストッパ片６４９ａ、６４９ｂによって位置決めされる冊子の折り頂部の位置は、保持手段を構成する保持部材対としての上下の押さえ板６３１、６３３の端部から所定量、保持部材対間に入り込んだ位置である。
【００５３】
移動ユニット６５６ａ、移動ユニット６５６ｂには、それぞれ、基準位置検知センサ６５８ａ、６５８ｂがあり、基準位置検知センサ６５８ａ、６５８ｂの検知により図中Ａ方向に移動するときの基準位置が決定される。
【００５４】
ストッパ片６４９ａ、６４９ｂ、第１圧接片６５０、第２圧接片６５１はいずれも円盤状をしており、図６に示すような大きさの関係になっている。図６（ａ）、図６（ｂ）のように、ストッパ片６４９ａ、６４９ｂの直径はＤ１であり、上下押さえ板６３１、６３３の保持面間に入り込み、冊子の折り頂部が上下押さえ板６３１、６３３の搬送方向下流端部から突出しない位置で位置決めするようになっている。
【００５５】
ストッパ片６４９ａ、６４９ｂの高さはＨ１であり、搬送されてくる冊子の厚さより高くなっていて、処理可能な最大厚さの冊子でも折り頂部がストッパ片を乗り越えずに位置決めできるようになっている。
【００５６】
本実施の形態における中綴じ製本部８００で作成可能な冊子は、シート１枚を二つ折りした冊子からシート２５枚を二つ折りした冊子までである。そのうち、１枚から１０枚までのシートを二つ折りした冊子は角付け処理を行わず、１１枚から２５枚までのシートを二つ折りした冊子を角付け処理するようにしている。
【００５７】
これは、１枚から１０枚までのシートを二つ折りした冊子は冊子厚さが薄く、折り頂部を角付け処理する際の変形領域（圧接量）を確保しにくいことと、角付け処理しても冊子の開放端側の開き具合が変わらないという理由による。ここで変形領域（圧接量）とは、変形処理前の折り頂部先端から変形処理後の折り頂部の平滑面までの領域である。
【００５８】
シート１１枚から２５枚を二つ折りした冊子は選択的に角付け（変形）処理されるが、処理される冊子厚さに応じて、図６（ｃ）、図６（ｄ）に示すように、冊子厚さがＴ２からＴ３の範囲にあるときは高さ（圧接幅）Ｈ２の第１圧接片６５０を用いて行う。
【００５９】
また、図６（ｅ）、図６（ｆ）に示すように、冊子厚さがＴ４からＴ５の範囲にあるときは高さ（圧接幅）Ｈ３の第２圧接片６５１を用いて行うよう使用する圧接片を切り替えて処理を行うようになっている。
【００６０】
また、ストッパ片６４９ａ、６４９ｂの直径Ｄ１、第１圧接片６５０の直径Ｄ２、第２圧接片６５１の直径Ｄ３は、Ｄ１＜Ｄ２＜Ｄ３という関係になっている。そして、比較的薄めの冊子を角付け処理する際に使用する第１圧接片６５０のときは、変形領域（圧接量）がＰ２＝（Ｄ２−Ｄ１）／２で設定される。すなわち、第１圧接片６５０による変形領域（圧接量）は、ストッパ片６４９ａ、６４９ｂによる折り頂部先端の位置決め位置から第１圧接片６５０による変形処理後の折り頂部の平滑面までの領域である。
【００６１】
また、厚い冊子を角付け処理する際に使用する第２圧接片６５１のときは、変形領域（圧接量）はＰ３＝（Ｄ３−Ｄ１）／２であり、薄めの冊子に比べて厚い冊子の変形領域（圧接量）が大きくなるよう（Ｐ２＜Ｐ３）に設定している。すなわち、第２圧接片６５１による変形領域（圧接量）は、ストッパ片６４９ａ、６４９ｂによる折り頂部先端の位置決め位置から第２圧接片６５１による変形処理後の折り頂部の平滑面までの領域である。
【００６２】
このように、角付け（変形）処理する際の変形領域（圧接量）はストッパ片による位置決め位置ではなく、圧接片の直径の大きさで設定している。第１圧接片６５０、第２圧接片６５１は、上下押さえ板６３１、６３３の端部から所定量、内側に入り込み、冊子の折り頂部を圧接する。本実施の形態において、変形領域Ｐ２、Ｐ３における上下押さえ板６３１、６３３の保持面は、冊子の折り頂部が圧接される前には冊子の折り頂部と当接しない。そして、圧接片による冊子の折り頂部の圧接されると、上下押さえ板６３１、６３３の保持面と当接していない冊子の折り頂部が変形し始める。しかしながら、上下押さえ板６３１、６３３の保持面によって保持面間隔、すなわち上下押さえ板６３１、６３３によって保持された冊子の厚さを超えるような変形が規制される。このとき、変形領域Ｐ２、Ｐ３における上下押さえ板６３１、６３３の保持面は、折り頂部の、冊子の厚さ方向の変形を押さえる押さえ面として機能する。このように保持面間隔内で変形処理されることで折り頂部の厚さ方向の変形が制限され、積載性が向上する。
【００６３】
本実施の形態において、上下押さえ板６３１、６３３の押さえ面は、互いに平行な上下押さえ板６３１、６３３の保持面と連続する平滑面として設定されているが、冊子の厚さを超えるような変形を押さえられればよく、必ずしも平行でなくてもよい。また、押さえ面は上下押さえ板６３１、６３３の保持面と連続している必要はなく、別部材で設けてもよい。
【００６４】
ストッパ片６４９ａ、６４９ｂ、第１圧接片６５０、第２圧接片６５１は、押さえユニット６３０の上下の押さえ板６３１、６３３の保持面間を移動ユニット６５６ａ、６５６ｂがスライドすることで図４の図中Ａ方向に往復運動できる。
【００６５】
そして、移動ユニット６５６ａが押さえ板６３１、６３３の幅方向外側の位置にあるときに、切替ユニット６５７を軸方向にスライドさせることにより上下の押さえ板６３１、６３３の保持面間に進入する圧接片を切り替えられるようになっている。入口搬送部６２０から送られた冊子を押さえユニット６３０で位置決めする際は、ストッパ片６４９ａ、６４９ｂが上下の押さえ板６３１、６３３の保持面間に進入して冊子の折り頂部を突き当て、位置決めすることができる。
【００６６】
また、本実施の形態において、折り頂部を上下押さえ板６３１、６３３の端部から突出しない位置で位置決めしているが、これに限らない。変形処理後の折り頂部が上下押さえ板６３１、６３３の端部から突出せぬよう上下押さえ板６３１、６３３の押さえ面によって冊子の厚さ方向の変形を押さえられつつ変形処理されれば本発明の効果は得られる。つまり、変形処理前の折り頂部の位置決めは折り頂部が上下押さえ板６３１、６３３の端部から突出した位置でもよい。
【００６７】
上記突き当て位置は、冊子の幅寸法より内側、かつ冊子の幅方向中心に関して対称位置（図７（ａ））にある。ストッパ片６４９ａ、６４９ｂまで搬送された冊子は、位置決め検知センサ６２６で検知される。
【００６８】
また、上述したように、ストッパ片６４９ａ、６４９ｂの高さ（圧接幅）寸法は処理可能な最大厚さの冊子の折り頂部が突き当たって位置決めできるように冊子の厚さよりも高くなるように設定されている。このため、上下の押さえ板６３１、６３３の間にストッパ片６４９ａ、６４９ｂが位置するときは、上押さえ板６３１は冊子を保持できない関係となる。
【００６９】
冊子の折り曲げ部近傍を押さえユニット６３０で挟圧、保持する際は、図７（ｂ）のように、冊子の位置決め後、ストッパ片６４９ａ、６４９ｂを上下の押さえ板６３１、６３３の幅方向外側に退避させる。このとき、冊子の折り頂部は上下押さえ板６３１、６３３の搬送下流端面から突出せず、冊子は、入口搬送部６２０の上下搬送ベルト６２１、６２２により挟持されているのでずれることはない。
【００７０】
この後、厚さ検知センサ６８１により検知された冊子の厚さに応じて、図７（ｃ）のように切替ユニット６５７でストッパ片６４９ａから第１圧接片６５０、あるいは第２圧接片６５１に切り替える。図７（ｃ）は第２圧接片６５１に切り替えた状態を示している。そして、図８（ａ）、図８（ｂ）のように、移動ユニット６５６ａを冊子の反対側端まで移動することで冊子の折り頂部に圧接して変形させ、角付け（変形）処理するようになっている。
【００７１】
次に、角付け処理された冊子は図８（ｃ）のように搬送方向下流に搬送される。折り頂部の角付け処理された冊子を図９に示す。
【００７２】
冊子の折り曲げ部を上下押さえ板６３１、６３３から突出せぬよう保持した状態で、折り頂部を圧接するので、圧接された冊子の折り曲げ部が厚さ方向の外側へ広がってしまうことはなく、角付けされた背の幅が冊子の厚さより大きくなるようなことがない。また、必要以上に冊子が圧接されて潰されることがないので、角付けする必要のない冊子中心のシートまで変形させてしまうことがない。
【００７３】
そして、冊子の折り曲げ部が上下押さえ板６３１、６３３の搬送下流端面から突出していないので、圧接片で圧接されたときに上下押さえ板の角部に変形した冊子の折り曲げ部が触れることがなく、圧接痕がつくことがない。また、上下押さえ板６３１、６３３の冊子を保持する保持面は突起のない平滑面であるので、冊子を挟圧、保持したときに冊子に圧接痕がつくようなことがない。さらには、冊子の折り頂部の圧接を回転可能な圧接片で行うことにより折り頂部に均一な圧接力を順々に加えていくことができるので、滑らかに仕上げられた冊子となる。
【００７４】
図３において６６０は出口搬送部であり、角付け処理され、押さえユニット６３０による保持が解除された冊子を受け取り、搬送方向下流へ搬送するための下搬送ベルト６６１、上搬送ベルト６６２で構成される。上搬送ベルト６６２は支持軸６６３を中心に冊子の厚さによって回動できるようになっており、下搬送ベルト６６１へ不図示のバネにより押圧されている。上下搬送ベルト６６１、６６２は入口搬送部６２０と駆動連結されており、駆動モータＳＭ４によって駆動する。
【００７５】
６７０は、出口搬送部６６０から排出される冊子を積載するコンベアトレイである。コンベアトレイ６７０の下面には、駆動モータＳＭ１０の駆動を受けて搬送方向に移動するコンベアベルト６７１が設けられ、冊子が排出される毎に所定量の移動を繰り返し、冊子の積載を行う。冊子が出口搬送部６６０から排出された際の検知は、排出検知センサ６６４により行われる。
【００７６】
図１０は、複写装置１０００のブロック図である。ＣＰＵ回路部１５０は、ＣＰＵ（不図示）、ＲＯＭ１５１を有する。そして、ＲＯＭ１５１に格納された制御プログラム及び操作部１の設定に従い、原稿給送制御部１０１、イメージリーダ制御部２０１、画像信号制御部２０２、プリンタ制御部３０１、フィニッシャ制御部５０１、外部Ｉ／Ｆ２０３を制御する。原稿給送制御部１０１は原稿給送部１００を、イメージリーダ制御部２０１はイメージリーダ部２００を、プリンタ制御部３０１はプリンタ部３００を制御する。そして、フィニッシャ制御部５０１はフィニッシャ５００、中綴じ製本部８００を制御する。さらに、角付け処理制御部６０１はフィニッシャ制御部５０１からの指令に基づき、角付け処理装置６００を制御する。
【００７７】
操作部１は、画像形成に関する各種機能を設定するための複数のキー、設定状態を表示するための表示部等を有する。そして、ユーザによる各キーの操作に対応するキー信号をＣＰＵ回路部１５０に出力するとともに、ＣＰＵ回路部１５０からの信号に基づき対応する情報を表示部に表示する。
【００７８】
ＲＡＭ１５２は、制御データを一時的に保持するための領域や、制御に伴う演算の作業領域として用いられる。外部Ｉ／Ｆ２０３は、複写装置１０００と外部のコンピュータ２０４とのインタフェースであり、コンピュータ２０４からのプリントデータをビットマップ画像に展開し、画像データとして画像信号制御部２０２へ出力する。また、イメージリーダ制御部２０１から画像信号制御部２０２へは、イメージリーダ部２００で読み取った原稿の画像が出力される。プリンタ制御部３０１は、画像信号制御部２０２からの画像データを露光制御部１１０へ出力する。
【００７９】
図１１は角付け処理制御部６０１のブロック図であり、角付け処理制御部６０１は各駆動モータを制御するようになっている。
【００８０】
次に、上述した構成に基づき、本発明の角付け処理装置６００における角付け（変形）処理動作について冊子の流れと共に各部の動作を説明する。
【００８１】
まず、操作部１において中綴じモードが選択されると、角付け処理モードを設定するか否かを選択できるようになる。
【００８２】
角付け処理モードが選択されなかった場合は、中綴じ製本部８００で作成された中綴じ冊子は、下搬送ベルト６１１、搬送爪６１３、入口搬送部６２０、出口搬送部６６０によって、コンベアトレイ６７０に排出される。このとき、サイドガイド対６１２、上押さえ板６３３、移動ユニット６５６ａ、６５６ｂは、搬送路を遮らない位置に待避している。
【００８３】
角付け処理モードが選択された場合の動作については、以下に詳細に説明する。図１２、１３、図１４は、角付け処理モードが選択された場合の動作の流れを示すフローチャートである。
【００８４】
角付け処理モードが選択されると、図１２に示すように、角付け処理装置６００はイニシャル動作をする（Ｓ１）。具体的には、サイドガイド対６１２、搬送爪６１３が初期位置にセットされ、上死点検知センサ６３９によって規定される上位置に押さえベース６３２が移動する。移動ユニット６５６ａ、６５６ｂは基準位置検知センサ６５８ａ、６５８ｂによって規定される基準位置へ移動し、切替ユニット６５７は基準位置検知センサ６５９よって規定される基準位置へ移動する。中綴じ製本部８００で冊子が作成されるときは、第２折り搬送ローラ対８１２によって冊子が受け取り部６１０に排出される前に、冊子のシート枚数、シートサイズ、作成する冊子数等のシート情報が角付け処理制御部６０１へ通知される（Ｓ２）。次に、角付け処理制御部６０１において通知された冊子のシートの枚数が１１枚以上であるか否かを判断する（Ｓ３）。通知された冊子のシートの枚数が１１枚以上でない場合は角付け処理無しモードを選択（Ｓ４）、１１枚以上であった場合は角付け処理有りモードを選択する（Ｓ５）。
【００８５】
冊子のシートの枚数が１０枚以下であり、角付け処理無しモードが選択された場合は、図１３のフローチャートとなる。
【００８６】
受け取り部６１０の搬送経路の両側に配設されたサイドガイド対６１２が冊子サイズに合わせて待機位置へ移動する（Ｓ２１）。中綴じ製本部８００からの冊子排出通知を受けると（Ｓ２２）、下搬送ベルト６１１が駆動モータＳＭ１によって回転し（Ｓ２３）、冊子を搬送する。そして、入口検知センサ６１５、出口検知センサ６１６でシート束を検知した（Ｓ２４、２５）後、搬送を一旦停止する（Ｓ２６）。その後、サイドガイド対６１２が駆動モータＳＭ１２により整合動作を行う（Ｓ２７）。
【００８７】
次に、駆動モータＳＭ４によって、入口搬送部６２０及び出口搬送部６６０が駆動され（Ｓ２８）、受け取り部６１０の上流に配置された搬送爪６１３と下搬送ベルト６１１によって、冊子の搬送が再開される（Ｓ２９）。搬送爪６１３は駆動モータＳＭ３により駆動される。そして、出口検知センサ６１６が冊子の排出を検知する（Ｓ３０）と、搬送爪６１３は搬送上流に退避する（Ｓ３１）。
【００８８】
入口搬送部６２０及び出口搬送部６６０により搬送された冊子がコンベアトレイ６７０へ排出され、排出検知センサ６６４によって排出検知される（Ｓ３２）と、入口搬送部６２０及び出口搬送部６６０が駆動を停止する（Ｓ３３）。コンベアトレイ６７０へ排出された冊子は、順次瓦積み状に積み重ねられていく。排出された冊子が最終冊子でなければＳ２１へ戻り、最終冊子であればジョブを終了する（Ｓ３４、３５）。
【００８９】
次に、冊子のシートの枚数が１１枚以上で、角付け処理有りモードが選択された場合は、図１４のフローチャートとなる。
【００９０】
まず、受け取り部６１０の搬送経路の両側に配設されたサイドガイド対６１２が冊子サイズに合わせて待機位置へ移動する。そして、切替ユニット６５７によってストッパ片６４９ａに切り替えられた移動ユニット６５６ａ、６５６ｂが規制位置へ移動する（Ｓ５１）。規制位置は冊子のサイズによって変わり、冊子の折り頂部がストッパ片６４９ａ、６４９ｂに突き当たったときに回転したりせず、移動ユニット６５６ａ、６５６ｂの移動方向に対して冊子折り頂部の平行が維持される位置に設定されている。
【００９１】
中綴じ製本部８００からの冊子排出通知を受ける（Ｓ５２）と、下搬送ベルト６１１が駆動モータＳＭ１によって回転し（Ｓ５３）、冊子を搬送する。そして、入口検知センサ６１５、出口検知センサ６１６でシート束を検知した（Ｓ５４、５５）後、搬送を一旦停止する（Ｓ５６）。その後、駆動モータＳＭ１２によってサイドガイド対６１２が駆動され、整合動作を行う（Ｓ５７）。
【００９２】
その後、駆動モータＳＭ４によって、入口搬送部６２０及び出口搬送部６６０が駆動され（Ｓ５８）、受け取り部６１０の上流に配置された搬送爪６１３と下搬送ベルト６１１によって、冊子の搬送が再開される（Ｓ５９）。搬送爪６１３は駆動モータＳＭ１３で駆動され、出口検知センサ６１６で冊子の排出を検知する（Ｓ６０）と、搬送爪６１３は搬送上流に退避する（Ｓ６１）。
【００９３】
入口搬送部６２０で搬送された冊子が位置決め検知センサ６２６で検知される（Ｓ６２）と、入口搬送部６２０の駆動が停止する（Ｓ６３）。このとき、図１５（ａ）のように、冊子の折り頂部がストッパ片６４９ａ、６４９ｂに突き当たり、上下の押さえ板６３１、６３３の搬送方向下端から出っ張らない位置に位置決めされている。
【００９４】
次に、移動ユニット６５６ａ、６５６ｂが上下の押さえ板６３１、６３３の間から上下の押さえ板６３１、６３３の幅方向の外側に外れた待機位置に移動する（Ｓ６４）。そして、駆動モータＳＭ５により押さえベース６３２が下位置に移動し（Ｓ６５）、上下押さえ板６３１、６３３により冊子が挟圧保持される。
【００９５】
次に、冊子を挟圧保持した状態の上押さえ板６３３の位置が厚さ検知センサ６８１により検知され（Ｓ６６）、これにより冊子の厚さが測定される。厚さ検知センサ６８１により検知された検知結果が上述したＴ２からＴ３の範囲であった場合は第１圧接片６５０に切り替えられ、検知された検知結果がＴ４からＴ５の範囲であった場合は第２圧接片６５１に切り替えられる（Ｓ６７）。そして、移動ユニット６５６ａを移動（Ｓ６８）し、冊子折り頂部の角付け処理がなされる。
【００９６】
第１圧接片６５０で角付け処理している図が図１５（ｂ）で、第２圧接片６５１で角付け処理している図が図１６（ａ）である。
【００９７】
このように、冊子の折り頂部は上下の押さえ板６３１、６３３の内側で保持されるため角付け処理する際に、冊子の表紙、裏表紙に、押さえ板６３１、６３３の圧接跡がつくことはない。
【００９８】
また、折り曲げ部は上下の押さえ板６３１、６３３と圧接片６５０または６５１で囲まれているため、必要以上の圧接力が加えられることはなく、冊子の厚さと略等しい幅の平滑面（背）が折り頂部に形成される。したがって、冊子中心にあるシートも変形することはなく、見栄えの良い冊子が作成される。
【００９９】
移動ユニット６５６ａの移動が完了すると、押さえベース６３２が上位置へ移動し（Ｓ６９）、上下押さえ板６３１、６３３が離間する。その後、図１５（ｃ）、図１６（ｂ）に示すように、出口搬送部６６０が駆動モータＳＭ４により駆動され（Ｓ７０）、出口搬送部６６０により冊子がコンベアトレイ６７０へ排出される。そして、排出検知センサ６６４で検知される（Ｓ７１）と、出口搬送部６６０の駆動が停止する（Ｓ７２）。コンベアトレイ６７０へ排出された冊子は、順次瓦積み状に積み重ねられていく。排出された冊子が最終冊子でなければＳ５１へ戻り、最終冊子であればジョブを終了する（Ｓ７３、７４）。
【０１００】
本実施の形態においては、中綴じ製本部８００で作成される冊子を、１枚から２５枚までのシートを二つ折りした冊子を例として説明したが、中綴じ製本部の能力によってシート枚数を変えてもよい。
【０１０１】
また、角付け処理される冊子を１１枚以上のシートを二つ折りした冊子を例として説明したが、メディアの坪量や厚さによってシート枚数を変更してもよく、本発明を何ら限定するものではない。
【０１０２】
また、角付け処理される冊子の厚さによって、２種類の高さ（圧接幅）と直径の違う圧接片を切り替えて使用し、角付け処理するように説明したが、さらに多段階に分けて使用する圧接片を三つ以上の種類を備えるようにしてもよい。
【０１０３】
また、本実施の形態においては、冊子の厚さをセンサで検知して場合分けしたが、メディアの坪量、厚さ、シート枚数など、冊子の厚さを決め得る条件から場合分けを行ってもよい。
【符号の説明】
【０１０４】
６００  角付け処理装置
６１０  受け取り部
６２０  入口搬送部
６２５  角付け処理部
６３０  押さえユニット
６３１  下押さえ板
６３２  押さえベース
６３３  上押さえ板
６４０  角付けユニット
６４９ａ、６４９ｂ  ストッパ片
６５０  第１圧接片
６５１  第２圧接片
６５６ａ、６５６ｂ  移動ユニット
６５７  切替ユニット
６６０  出口搬送部
６７０  コンベアトレイ
８００  中綴じ製本部
Ｓ  冊子
【図１】
2010241597.tif 000003
【図２】
2010241597.tif 000004
【図３】
2010241597.tif 000005
【図４】
2010241597.tif 000006
【図５】
2010241597.tif 000007
【図６】
2010241597.tif 000008
【図７】
2010241597.tif 000009
【図８】
2010241597.tif 000010
【図９】
2010241597.tif 000011
【図１０】
2010241597.tif 000012
【図１１】
2010241597.tif 000013
【図１２】
2010241597.tif 000014
【図１３】
2010241597.tif 000015
【図１４】
2010241597.tif 000016
【図１５】
2010241597.tif 000017
【図１６】
2010241597.tif 000018
【図１７】
2010241597.tif 000019
【図１８】
2010241597.tif 000020
【図１９】
2010241597.tif 000021